(57)【要約】本発明はセンター二重化構造波長分割多重化方式受動光ネットワークシステムに関するものである。リング型の光通信線路上に複数の中央基地局を採用することで、一つの中央基地局で問題が発生した場合、他の一つの中央基地局で制御を行うことで、システム安定性を確保することができ、さらに光通信線路上に各種の器機をインターフェースすることによって発生する挿入損失、光ケーブル劣化などによる損失など、多様な環境的要因によって発生する損失を適切に補償することができるものである。
2007535268.tif 000002
【特許請求の範囲】
【請求項１】
リング型の光通信線路と；
互いに異なる波長の光信号を発生する複数の光送受信部と、前記光送信部と対をなし、この対をなす光送信部と同一波長の光信号を受信し、これを電気的信号に変換して出力する光受信部と、入力される互いに異なる波長の光信号を多重化して前記光通信線路に出力し、前記光通信線路を通じて入力される多重化した光信号を逆多重化して出力する多重化／逆多重化器と、指定された光送信部から出力される光信号を前記多重化／逆多重化器に出力し、前記多重化／逆多重化器で逆多重化されてから入力される光信号を指定された光受信部に出力する複数の光循環器とを含む中央基地局と；
前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器によってドロップされた光信号を加入者装置の光受信部に出力し、前記加入者装置の光送信部から入力される光信号を前記光分岐／結合器に出力する光循環器とを含む少なくとも一つの以上の地域基地局と；
を含む波長分割多重化（ＷＤＭ：Ｗａｖｅｌｅｎｇｔｈ Ｄｉｖｉｓｉｏｎ Ｍｕｌｔｉｐｌｅｘｉｎｇ）方式受動光ネットワーク（ＰＯＮ：Ｐａｓｓｉｖｅ Ｏｐｔｉｃａｌ Ｎｅｔｗｏｒｋ）システムにおいて、
前記波長分割多重化方式受動光ネットワークシステムが：
複数の中央基地局を備え；
分岐した一側端がそれぞれずれて接続され、前記複数の中央基地局の各多重化／逆多重化器から出力される多重化信号をそれぞれ分岐して伝送し、分岐した経路を通じて伝送される信号を前記多重化／逆多重化器に入力する奇数の１×２カプラー連結体を含む第１接続部と；
前記第１接続部の分岐した経路にそれぞれ連結され、複数の多重化／逆多重化器を通じて送受信される信号をそれぞれ補償する前記第１接続部の１×２カプラーと同数のｎ個の信号補償部を含む第２接続部と；
前記第２接続部の信号補償部のそれぞれと少なくとも一つ以上のリング型の光通信線路間を連結し、前記複数の多重化／逆多重化器とリング型の光通信線路間に信号が送受信されるようにする第３接続部と；
を含んでなることを特徴とする、センター二重化構造波長分割多重化方式受動光ネットワークシステム。
【請求項２】
前記第３接続部が：
前記ｎ個の信号補償部と単一リング型の光通信線路間に連結されるｎ×２カプラーであることを特徴とする、請求項１に記載のセンター二重化構造波長分割多重化方式受動光ネットワークシステム。
【請求項３】
前記第３接続部が：
分岐した一側がそれぞれずれて接続されて、単一リング型の光通信線路から受信される信号を分岐して出力し、分岐した経路を通じて前記ｎ個の信号補償部から伝送される信号を単一リング型の光通信線路に出力するｎ個の１×２カプラー連結体であることを特徴とする、請求項１に記載のセンター二重化構造波長分割多重化方式受動光ネットワークシステム。
【請求項４】
前記第３接続部が：
前記ｎ個の信号補償部とｎ個のリング型の光通信線路間に連結されるｎ個の１×２カプラーであることを特徴とする、請求項１に記載のセンター二重化構造波長分割多重化方式受動光ネットワークシステム。
【請求項５】
前記第３接続部が：
前記信号補償部と連結される（ｎ―１）／２個の１×２カプラーと、（ｎ＋１）／２個のリング型の光通信線路と連結される（ｎ＋１）／２個の２×２カプラーとの連結体であることを特徴とする、請求項１に記載のセンター二重化構造波長分割多重化方式受動光ネットワークシステム。
【請求項６】
前記信号補償部が：
前記第１接続部から出力される信号と前記第１接続部に入力される信号が互いに異なる経路を通じて送受信されるようにする第１光循環器と；
前記第３接続部から出力される信号と前記第３接続部に入力される信号が互いに異なる経路を通じて送受信されるようにする第２光循環器と；
前記第１光循環器と第２光循環器との間の二つの経路上に互いに反対方向に設置され、この二つの経路を通じて送受信される信号を増幅して補償する一対の増幅器と；
を含むことを特徴とする、請求項２ないし５のいずれか一項に記載のセンター二重化構造波長分割多重化方式受動光ネットワークシステム。
【請求項７】
前記信号補償部が：
前記第１接続部から出力される信号を分岐して出力し、分岐した経路を通じて伝送される信号を前記第１接続部に出力する１×２カプラーと；
前記第３接続部から出力される信号と前記第３接続部に入力される信号が互いに異なる経路を通じて送受信されるようにする光循環器と；
前記１×２カプラーと光循環器との間の二つの経路上に互いに反対方向に設置され、この二つの経路を通じて送受信される信号を増幅して補償する一対の増幅器と；
を含むことを特徴とする、請求項２ないし５のいずれか一項に記載のセンター二重化構造波長分割多重化方式受動光ネットワークシステム。
【請求項８】
前記信号補償部が：
前記第１接続部から出力される信号と前記第１接続部に入力される信号が互いに異なる経路を通じて送受信されるようにする光循環器と；
前記第３接続部から出力される信号を分岐して出力し、分岐された経路を通じて伝送される信号を前記第３接続部に出力する１×２カプラーと；
前記光循環器と１×２カプラーとの間の二つの経路上に互いに反対方向に設置され、この二つの経路を通じて送受信される信号を増幅して補償する一対の増幅器と；
を含むことを特徴とする、請求項２ないし５のいずれか一項に記載のセンター二重化構造波長分割多重化方式受動光ネットワークシステム。
【発明の詳細な説明】
【発明の詳細な説明】
【０００１】
〔技術分野〕
本発明は波長分割多重化方式受動光ネットワークシステムに係り、特にリング型の光通信線路上に複数の中央基地局を採用することにより、一つの中央基地局に問題が発生した場合、他の一つの中央基地局で制御を行うことで、システム安定性を確保するようにした波長分割多重化方式受動光ネットワークシステムに関するものである。
【０００２】
〔背景技術〕
波長分割多重化（ＷＤＭ：Ｗａｖｅｌｅｎｇｔｈ Ｄｉｖｉｓｉｏｎ Ｍｕｌｔｉｐｌｅｘｉｎｇ）方式は、中央基地局（ＣＯ：Ｃｅｎｔｒａｌ Ｏｆｆｉｃｅ）から各加入者に互いに異なる波長を割り当てて同時にデータを伝送する方式であって、各加入者は割り当てられた波長を用いて、常にデータの送受信を行うことができる。この方式は、各加入者に大容量のデータを伝送することができるだけでなく、通信の保安性に優れ、性能向上の容易な利点を有する。
【０００３】
一方、受動光ネットワーク（ＰＯＮ：Ｐａｓｓｉｖｅ Ｏｐｔｉｃａｌ Ｎｅｔｗｏｒｋ）とは、光加入者網構築方式の一つで、光ケーブルに受動光分配素子を使用することで、一つのＯＬＴ（Ｏｐｔｉｃａｌ Ｌｉｎｅ Ｔｅｒｍｉｎａｔｏｎ）が多くのＯＮＵ（Ｏｐｔｉｃａｌ Ｎｅｔｗｏｒｋ Ｕｎｉｔ）を接続することができるようにする方式である。このような受動光ネットワーク（ＰＯＮ）は、中央基地局（ＣＯ）から地域基地局（ＲＮ：Ｒｅｍｏｔｅ Ｎｏｄｅ）までは１本の光繊維を通じて伝送されて、地域基地局（ＲＮ）の受動光分配素子に分けられ、各加入者まで光繊維を通じて伝送される。すなわち、受動光ネットワーク（ＰＯＮ）は、中央基地局（ＣＯ）から加入者の隣接地域に設置された地域基地局（ＲＮ）までは単一光繊維で連結され、地域基地局（ＲＮ）から各加入者までは独立した光繊維で連結される構造であるから、中央基地局（ＣＯ）から加入者まで１対１で光ケーブルを舗設することに比べ、相対的にケーブル費用を節減することができる。
【０００４】
前記波長分割多重化（ＷＤＭ：Ｗａｖｅｌｅｎｇｔｈ Ｄｉｖｉｓｉｏｎ Ｍｕｌｔｉｐｌｅｘｉｎｇ）法と受動光ネットワーク（ＰＯＮ：Ｐａｓｓｉｖｅ Ｏｐｔｉｃａｌ Ｎｅｔｗｏｒｋ）法を組み合わせて一つの波長分割多重化（ＷＤＭ）方式受動光ネットワーク（ＰＯＮ）システムを具現することができるが、このような波長分割多重化（ＷＤＭ）方式受動光ネットワーク（ＰＯＮ）システムは、通常にファイバーの切替え、あるいは特定チャンネルのＬＤ（光送信部に相当）またはＰＤ（光受信部に相当）の故障の際、これを代替するために、余分の構成を有するリダンダンシー（Ｒｅｄｕｎｄａｎｃｙ）構造を採択している。
【０００５】
本発明の出願人は、大韓民国特許出願第２００３−９８９０４号（２００３．１２．２９）で、光源に流入可能な光を根本的に遮断することで、光源の受命を延ばすことはもちろんのこと、データパケットの伝送エラー率を低めることができる波長分割多重化（ＷＤＭ）方式受動光ネットワーク（ＰＯＮ）システムを提案した。
【０００６】
図１は本発明の出願人によって先出願された特許出願第２００３−９８９０４号で提示した波長分割多重化方式受動光ネットワークシステムの概要図である。
【０００７】
同図に示すように、この波長分割多重化方式受動光ネットワークシステムは、リング型の光通信線路１００と、中央基地局２００と、複数の地域基地局３００とを含んでなり、前記中央基地局２００は、リング型の光通信線路１００を通じて複数の地域基地局３００にネットワークで連結される。
【０００８】
前記中央基地局２００は、互いに異なる波長の光信号を発生するための複数の光送信部２１０と、前記各光送信部２１０と対をなし、この対をなす光送信部２１０と同一波長の光信号を受信し、これを電気的な信号に変換して出力する複数の光受信部２２０とを含む。この際、前記光送信部２１０が互いに異なる波長の光信号を発生しないで単一広帯域波長を発生させ、グレーティング素子（図示せず）を利用して相違なる波長の光信号を発生するように具現することもできることは当然である。
【０００９】
また、前記中央基地局２００は、後述する光循環器２４０を通じて入力される相違なる波長の光信号を多重化して前記光通信線路１００に出力し、前記光通信線路１００を通じて入力される多重化された光信号を逆多重化して前記光循環器２４０に出力する多重化／逆多重化器２３０を含む。
【００１０】
さらに、前記中央基地局２００は、指定された光送信部２１０から出力される光信号を前記多重化／逆多重化器２３０に出力し、前記多重化／逆多重化器２３０で逆多重化されてから入力される光信号を指定された光受信部２２０に出力する多数の光循環器２４０を含む。
【００１１】
この光循環器２４０は、構造上、入力ポートを通じて入射した光が決して同じポートに帰ることができないように設計された光素子である。これは、光源から発生した光はどんな経路を通じて来ても再び光源に流入しないことを意味する。
【００１２】
前記地域基地局３００は、前記光通信線路１００を通じて伝送される光信号のうち、特定帯域の波長を有する信号のみをドロップさせて加入者装置（図示せず）側に出力し、前記加入者装置側から伝送される光信号を前記光通信線路１００に出力する光分岐／結合器３１０と、前記光分岐／結合器３１０によってドロップされた光信号を加入者装置の光受信部に出力し、前記加入者装置の光送信部から入力される光信号を前記光分岐／結合器３１０に出力する複数の光循環器３２１ａ、３２１ｂとを含む。
【００１３】
一方、本発明の出願人によって先出願された大韓民国特許出願第２００３−９８９０４号では、ほかの実施例として、メディア変換器を採用した波長分割多重化方式受動光ネットワークシステムを提案している。
【００１４】
この実施例では、中央基地局２００が互いに異なる波長の光信号を発生する複数の光送信部２１０及び前記光送信部２１０と対をなし、この対をなす光送信部２１０と同一波長の光信号を受信し、これを電気的な信号に変換して出力する光受信部２００を含む複数のメディア変換器（Ｇｅｎｅｒａｌ ＭＣ）と、前記メディア変換器から入力される互いに異なる波長の光信号を多重化して前記光通信線路に出力し、前記光通信線路１００を通じて入力される多重化した光信号を逆多重化して前記メディア変換器に出力する多重化／逆多重化器２３０と、前記メディア変換器の光送信部２１０から出力される光信号を前記多重化／逆多重化器２３０に出力し、前記多重化／逆多重化器で逆多重化されて入力される光信号を前記メディア変換器の光受信部２２０に出力する複数の光循環器２４０とを含む。
【００１５】
このような本発明の出願人によって先出願された大韓民国特許出願第２００３−９８９０４号で提示した波長分割多重化方式受動光ネットワークシステムでは、中央基地局２００の多重化／逆多重化器２３０と光通信線路１００との間に光カプラー４００を採用することで、前記多重化／逆多重化器２３０から出力される多重化信号を相違なる光通信線路１００に分岐して伝送し、前記光通信線路１００のいずれか一本の線路から伝送される光信号を前記多重化／逆多重化器２３０に伝送する役割をした。
【００１６】
〔発明の詳細な説明〕
〔技術的課題〕
ところで、前記先特許出願第２００３−９８９０４号で提示した波長分割多重化方式受動光ネットワークシステムは、一つの中央基地局を採用したため、中央基地局で問題が発生した場合、これを取り替えて中央基地局の制御を行うことができるリダンダンシーな構造でなかったため、システムがダウンする問題があった。
【００１７】
したがって、本発明者は、リング型の光通信線路上に複数の中央基地局を採用することで、一つの中央基地局で問題が発生した場合、他の一つの中央基地局で制御を行うように複数の中央基地局を有するセンター二重化構造波長分割多重化方式受動光ネットワークシステムに対する研究を行った。
【００１８】
〔技術的解決方法〕
本発明は前記の趣旨に鑑みてなされたもので、リング型の光通信線路上に複数の中央基地局を採用することで、一つの中央基地局で問題が発生した場合、他の一つの中央基地局で制御を行うことで、システムの安定性を確保することができるセンター二重化構造波長分割多重化方式受動光ネットワークシステムを提供することをその目的とする。
【００１９】
本発明のほかの目的は、光通信線路上に各種器機をインターフェースすることにより発生する挿入損失、光ケーブルの劣化などによる損失など、多様な環境的要因によって発生する損失を適切に補償することができるセンター二重化構造波長分割多重化方式受動光ネットワークシステムを提供することである。
【００２０】
〔有利な効果〕
以上説明したように、本発明によるセンター二重化構造波長分割多重化方式受動光ネットワークシステムは、リング型の光通信線路上に複数の中央基地局を採用することで、一つの中央基地局で問題が発生した場合、他の一つの中央基地局で制御を行うことにより、システムの安定性を確保することができ、光通信線路上に各種器機をインターフェースすることによって発生する挿入損失、光ケーブルの劣化などによる損失など、多様な環境的要因によって発生する損失を信号補償部によって適切に補償することができる有用な効果を有する。
【００２１】
〔発明を実施するための最良の様態〕
前記目的を達成するための本発明の一様態によれば、本発明によるセンター二重化構造波長分割多重化方式受動光ネットワークシステムは、リング型の光通信線路と；互いに異なる波長の光信号を発生する複数の光送受信部と、前記光送信部と対をなし、この対をなす光送信部と同一波長の光信号を受信し、これを電気的信号に変換して出力する光受信部と、入力される互いに異なる波長の光信号を多重化して前記光通信線路に出力し、前記光通信線路を通じて入力される多重化した光信号を逆多重化して出力する多重化／逆多重化器と、指定された光送信部から出力される光信号を前記多重化／逆多重化器に出力し、前記多重化／逆多重化器で逆多重化されてから入力される光信号を指定された光受信部に出力する複数の光循環器とを含む中央基地局と；前記光通信線路を通じて伝送される光信号のうち、特定帯域の波長を有する信号のみをドロップさせて加入者装置側に出力し、前記加入者装置側から伝送される光信号を前記光通信線路に出力する光分岐／結合器と、前記光分岐／結合器によってドロップされた光信号を加入者装置の光受信部に出力し、前記加入者装置の光送信部から入力される光信号を前記光分岐／結合器に出力する光循環器とを含む少なくとも一つの以上の地域基地局と；を含む波長分割多重化（ＷＤＭ：Ｗａｖｅｌｅｎｇｔｈ Ｄｉｖｉｓｉｏｎ Ｍｕｌｔｉｐｌｅｘｉｎｇ）方式受動光ネットワーク（ＰＯＮ：Ｐａｓｓｉｖｅ Ｏｐｔｉｃａｌ Ｎｅｔｗｏｒｋ）システムにおいて、前記波長分割多重化方式受動光ネットワークシステムが：複数の中央基地局を備え；分岐した一側端がそれぞれずれて接続され、前記複数の中央基地局の各多重化／逆多重化器から出力される多重化信号をそれぞれ分岐して伝送し、分岐した経路を通じて伝送される信号を前記多重化／逆多重化器に入力する奇数の１×２カプラー連結体を含む第１接続部と；前記第１接続部の分岐した経路にそれぞれ連結され、複数の多重化／逆多重化器を通じて送受信される信号をそれぞれ補償する前記第１接続部の１×２カプラーと同数のｎ個の信号補償部を含む第２接続部と；前記第２接続部の信号補償部のそれぞれと少なくとも一つ以上のリング型の光通信線路間を連結し、前記複数の多重化／逆多重化器とリング型の光通信線路間に信号が送受信されるようにする第３接続部と；を含んでなることを特徴とする。
【００２２】
〔発明の実施のための様態〕
以下、添付図面を参照して提示する説明する好適な実施例によって、本発明を当業者が容易に理解及び再現できるように詳細に説明する。
【００２３】
本発明によるセンター二重化構造波長分割多重化方式受動光ネットワークシステムは、本発明の出願人によって先出願された大韓民国特許出願第２００３−９８９０４号で提示した波長分割多重化方式受動光ネットワークシステムの中央基地局２００を複数で具現し、複数の多重化／逆多重化器２３０と少なくとも１本以上の光通信線路１００との間に第１接続部４１０、第２接続部４２０及び第３接続部４３０を接続することで、複数で具現された中央基地局のいずれか一つの中央基地局で問題が発生した場合、他の一つの中央基地局で制御を行うことをその技術的要旨とする。
【００２４】
前記第１接続部４１０は、分岐した一側端がそれぞれずれて接続され、前記複数の中央基地局の各多重化／逆多重化器から出力される多重化信号をそれぞれ分岐して伝送し、分岐した経路に沿って伝送される信号を前記多重化／逆多重化器に入力する奇数の第１×２カプラー連結体を含む。
【００２５】
前記第２接続部４２０は、前記第１接続部４１０の分岐した経路にそれぞれ連結され、複数の多重化／逆多重化器を通じて送受信される信号をそれぞれ補償する前記第１接続部４１０の１×２カプラーと同数のｎ個の信号補償部を含む。
【００２６】
前記信号補償部は、光通信線路上に各種器機をインターフェースすることによって発生する挿入損失、光ケーブルの劣化などによる損失など、多様な環境的要因によって発生する損失を補償するためのもので、その具体的な実施例を図６ないし図８に示す。
【００２７】
図６に示す信号補償部は、第１光循環器、第２光循環器、及び一対の増幅器を含んでなる。
【００２８】
前記第１光循環器は、前記第１接続部４１０から出力される信号と、前記第１接続部４１０に入力される信号とが、互いに異なる経路を通じて送受信されるようにする。
【００２９】
前記一対の増幅器は、前記第１光循環器と第２光循環器間の二つの経路上に互いに反対方向に設置され、この二つの経路を通じて送受信される信号を増幅して補償する。
【００３０】
光循環器の素子特性上、入力と出力の経路が違いので、前記第１光循環器と第２光循環器によって形成される二つの経路の一側を通じては、中央基地局２００から出力された信号がリング型の光通信線路１００に伝送され、他側の経路を通じては、リング型の光通信線路１００から入力された信号が中央基地局２００に出力される。この際、二つのそれぞれに互いに反対方向に設置された増幅器によって、伝送される信号が増幅されることにより、光通信線路上に各種の器機をインターフェースすることによって発生する挿入損失、光ケーブルの劣化などによる損失など、環境的要因によって発生する損失が補償される。
【００３１】
図７に示す信号補償部は、１×２カプラーと、光循環器と、一対の増幅器とを含んでなる。
【００３２】
前記１×２カプラーは、前記第１接続部４１０から出力される信号を分岐して出力し、分岐された経路を通じて伝送される信号を前記第１接続部４１０に出力する。
【００３３】
前記光循環器は、前記第３接続部４３０から出力される信号と、前記第３接続部４３０に入力される信号とが互いに異なる経路を通じて送受信されるようにする。
【００３４】
前記一対の増幅器は、前記１×２カプラーと光循環器間の二つの経路上に互いに反対方向に設置され、この二つの経路を通じて送受信される信号を増幅して補償する。
【００３５】
この場合は、二つの光循環器を使用した図６の実施例とは異なり、一つの光循環器を使用して費用を節減したものである。
【００３６】
光循環器の素子特性上、入力と出力の経路が違いので、前記１×２カプラーと光循環器との間に形成される二つの経路の一側を通じては、中央基地局２００から出力された信号がリング型の光通信線路１００に伝送され、他側の経路を通じては、リング型の光通信線路１００から入力された信号が中央基地局２００に出力される。この際、二つの経路のそれぞれに互いに反対方向に設置された増幅器によって、伝送される信号が増幅されることにより、光通信線路上に各種の器機をインターフェースすることによって発生する挿入損失、光ケーブルの劣化などによる損失など、多様な環境的要因によって発生する損失が補償される。
【００３７】
図８に示す信号補償部は、光循環器と、１×２カプラーと、一対の増幅器とを含んでなる。
【００３８】
前記光循環器は、前記第１接続部４１０から出力される信号と、前記第１接続部４１０に入力される信号とが互いに異なる経路を通じて送受信されるようにする。
【００３９】
前記１×２カプラーは、前記第３接続部４３０から出力される信号を分岐して出力し、分岐された経路を通じて伝送される信号を前記第３接続部４３０に出力する。
【００４０】
前記一対の増幅器は、前記光循環器と１×２カプラー間の二つの経路上に互いに反対方向に設置され、この二つの経路を通じて送受信される信号を増幅して補償する。
【００４１】
この場合も、図７に示す実施例と同様に、一つの光循環器を使用して費用を節減したもので、図７に示す実施例の場合、光循環器が第３接続部４３０に連結されるものに対し、この場合は、光循環器が第１接続部４１０に連結されることに違いがある。
【００４２】
光循環器の素子特性上、入力と出力の経路が違いので、前記光循環器と１×２カプラーとの間に形成される二つの経路の一側を通じては、中央基地局２００から出力された信号がリング型の光通信線路１００に伝送され、他側の経路を通じては、リング型の光通信線路１００から入力された信号が中央基地局２００に出力される。この際、二つの経路のそれぞれに互いに反対方向に設置された増幅器によって、伝送される信号が増幅されることにより、光通信線路上に各種の器機をインターフェースすることによって発生する挿入損失、光ケーブルの劣化などによる損失など、多様な環境的要因によって発生する損失が補償される。
【００４３】
前記第３接続部４３０は、前記第２接続部４２０の信号補償部のそれぞれと少なくとも一つ以上のリング型の光通信線路１００との間を連結して、前記複数の多重化／逆多重化器２３０とリング型の光通信線路１００間に信号が送受信されるようにする。
【００４４】
図２ないし図５に基づいてこの第３接続部４３０の具体的な構成を説明する。
【００４５】
図２は本発明によるセンター二重化構造波長分割多重化方式受動光ネットワークシステムの第１実施例の構成図である。
【００４６】
この実施例によるセンター二重化構造波長分割多重化方式受動光ネットワークシステムの第１実施例の構成図である。
【００４７】
この実施例によるセンター二重化構造波長分割多重化方式受動光ネットワークシステムは、前記第３接続部４３０としてｎ×２カプラーを採用している。
【００４８】
前記ｎ×２カプラーは、前記第２接続部４２０のｎ個の信号補償部と単一リング型の光通信線路１００との間に連結され、前記第２接続部４２０のそれぞれを通じて出力される信号を光通信線路１００に出力し、光通信線路１００から入力される信号を前記第２接続部４２０を通じて複数の中央基地局２００にそれぞれ出力する。
【００４９】
したがって、複数の中央基地局の一つを用いて、地域基地局３００とリング型の光通信線路１００を通じて信号を交信しているうち、現在使用中の中央基地局で問題が発生した場合、他の一つの中央基地局で、地域基地局３００とリング型の光通信線路１００を通じて信号を交信することで、システムの安定性を確保することができる。
【００５０】
図３は本発明によるセンター二重化構造波長分割多重化方式受動光ネットワークシステムの第２実施例の構成図である。
【００５１】
この実施例によるセンター二重化構造波長分割多重化方式受動光ネットワークシステムは、前記第３接続部４３０としてｎ個の１×２カプラーを採用している。
【００５２】
前記ｎ個の１×２カプラー連結体は、分岐した一側端がそれぞれずれて接続され、単一リング型の光通信線路１００から受信する信号を分岐して前記第２接続部４２０にそれぞれ出力し、分岐した経路を通じて前記第２接続部４２０のｎ個の信号補償部からそれぞれ伝送される信号を単一リング型の光通信線路１００に出力する。
【００５３】
したがって、複数の中央基地局の一つを用いて地域基地局３００とリング型の光通信線路１００を通じて信号を交信しているうち、現在使用中の中央基地局で問題が発生した場合、他の一つの中央基地局で、地域基地局３００とリング型の光通信線路１００を通じて信号を交信することにより、システムの安定性を確保することができる。
【００５４】
図４は本発明によるセンター二重化構造波長分割多重化方式受動光ネットワークシステムの第３実施例の構成図である。
【００５５】
この実施例によるセンター二重化構造波長分割多重化方式受動光ネットワークシステムは、ｎ個のリング型の光通信線路１００を備えることで、多くの加入者の確保を可能にした場合であって、前記第３接続部４３０としてｎ個の１×２カプラーを採用している。
【００５６】
前記ｎ個の１×２カプラーは前記第２接続部４２０のｎ個の信号補償部とｎ個のリング型の光通信線路１００との間に連結され、それぞれ第２接続部４２０から出力される信号をそれぞれのリング型の光通信線路１００に伝送し、それぞれのリング型の光通信線路１００から入力される信号をそれぞれ第２接続部４２０に出力する。
【００５７】
したがって、複数の中央基地局の一つを用いて、地域基地局３００とリング型の光通信線路１００を通じて信号を交信しているうち、現在使用中の中央基地局で問題が発生した場合、他の一つの中央基地局で、地域基地局３００とリング型の光通信線路１００を通じて信号を交信することで、システムの安定性を確保することができる。
【００５８】
図５は本発明によるセンター二重化構造波長分割多重化方式受動光ネットワークシステムの第４実施例の構成図である。
【００５９】
この実施例によるセンター二重化構造波長分割多重化方式受動光ネットワークシステムは、（ｎ＋１）／２個のリング型の光通信線路１００を備えることで、多くの加入者の確保を可能にした場合であって、前記第３接続部４３０として前記第２接続部４２０の信号補償部と連結される（ｎ−１）／２個の１×２カプラーと、（ｎ＋１）／２個のリング型の光通信線路１００と連結される（ｎ＋１）／２個の２×２カプラーを採用したものである。
【００６０】
前記（ｎ＋１）／２個の２×２カプラーと（ｎ−１）／２個の１×２カプラーは互いに交番に設置され、それぞれその一側端が連結されることにより、前記第２接続部４２０と（ｎ＋１）／２個のリング型の光通信線路１００間に送受信される信号をこれらが連結された経路を通じて伝送されるようにする。
【００６１】
したがって、複数の中央基地局の一つを用いて、地域基地局３００とリング型の光通信線路１００を通じて信号を交信しているうち、現在使用中の中央基地局で問題が発生した場合、他の一つの中央基地局で、地域基地局３００とリング型の光通信線路１００を通じて信号を交信することで、システムの安定性を確保することができる。
【００６２】
したがって、このようにすることにより、前記提示した本発明によるセンター二重化構造波長分割多重化方式受動光ネットワークシステムの目的を達成することができる。
【００６３】
本発明は添付図面に基づいて好適な実施例を中心に記述したが、当業者であれば、このような記載から、後述する特許請求範囲によって包括される本発明の範疇から逸脱なしに多様な変形が可能であろう。
【図面の簡単な説明】
【００６４】
【図１】図１は波長分割多重化方式受動光ネットワークシステムの概要図である。
【図２】図２は本発明によるセンター二重化構造波長分割多重化方式受動光ネットワークシステムの第１実施例の構成図である。
【図３】図３は本発明によるセンター二重化構造波長分割多重化方式受動光ネットワークシステムの第２実施例の構成図である。
【図４】図４は本発明によるセンター二重化構造波長分割多重化方式受動光ネットワークシステムの第３実施例の構成図である。
【図５】図５は本発明によるセンター二重化構造波長分割多重化方式受動光ネットワークシステムの第４実施例の構成図である。
【図６】図６は本発明によるセンター二重化構造波長分割多重化方式受動光ネットワークシステムの信号補償部の第１実施例を示す図である。
【図７】図７は本発明によるセンター二重化構造波長分割多重化方式受動光ネットワークシステムの信号補償部の第２実施例を示す図である。
【図８】図８は本発明によるセンター二重化構造波長分割多重化方式受動光ネットワークシステムの信号補償部の第３実施例を示す図である。
【図１】
2007535268.tif 000003
【図２】
2007535268.tif 000004
【図３】
2007535268.tif 000005
【図４】
2007535268.tif 000006
【図５】
2007535268.tif 000007
【図６】
2007535268.tif 000008
【図７】
2007535268.tif 000009
【図８】
2007535268.tif 000010
【国際調査報告】
2007535268.tif 000011
2007535268.tif 000012